(57)【特許請求の範囲】
【請求項１】
計測データをアクイジションメモリに格納する機能及び前記計測データを波形描画するための表示データを生成する機能を有する計測装置と、一定の記録周期毎に前記計測データを取得して記録する機能及び表示更新周期毎に前記表示データを取得して波形描画を行う機能を有する情報処理装置とを具備する計測システムであって、
前記情報処理装置は、前記記録周期ＴＲＥＣ、今回の記録周期において計測データの取得から記録完了までに要した記録処理時間ＴＲ、前回の記録周期において表示データの取得から波形描画完了までに要した表示処理時間ＴＤから成る下記演算式（１）に基づいて、前記表示更新周期ＴＲＤを決定する表示更新周期決定手段を備えることを特徴とする計測システム。
ＴＲＤ＝ＴＲＥＣ・｛ＴＤ／（ＴＲＥＣ−ＴＲ）｝      ・・・・（１）
【請求項２】
前記情報処理装置は、
前記記録周期毎に前記計測装置のアクイジションメモリから計測データを取得すると共に、当該計測データの転送時間を計測する記録データ管理手段と、
前記記録データ管理手段にて取得された計測データを所定の記録媒体に記録すると共に、当該記録処理に要した記録時間を計測する記録手段と、
前記表示更新周期毎に前記計測装置から表示データを取得すると共に、当該表示データの転送時間を計測する表示データ管理手段と、
前記表示データ管理手段にて取得された表示データを基に表示画面上にて波形描画を行うと共に、当該波形描画処理に要した波形描画時間を計測する表示手段と、を備え、
前記表示更新周期決定手段は、今回の記録周期において計測された前記計測データの転送時間及び前記記録時間の合計時間を、今回の記録周期における前記記録処理時間とし、前回の記録周期において計測された前記表示データの転送時間及び前記波形描画時間の合計時間を、前回の記録周期における前記表示処理時間とすることを特徴とする請求項１記載の計測システム。
【請求項３】
前記表示更新周期決定手段は、前記表示更新周期ＴＲＤ、前記表示処理時間ＴＤ、前記記録処理時間ＴＲから成る下記演算式（２）に基づいて、前記情報処理装置の記録処理及び表示処理に関する負荷量Ｌを算出し、
前記表示手段は、前記表示更新周期決定手段にて算出された負荷量Ｌを表示することを特徴とする請求項１または２に記載の計測システム。
Ｌ＝｛（ＴＲ＋ＴＤ）／ＴＲＤ｝・１００  （％）      ・・・・（２）
【請求項４】
計測データをアクイジションメモリに格納する機能と、一定の記録周期毎に前記アクイジションメモリから計測データを取得して所定の記録媒体に記録する機能と、表示更新周期毎に記録済みの計測データを波形描画するための表示データを生成して波形描画を行う機能とを有する記録装置であって、
前記記録周期ＴＲＥＣ、今回の記録周期において計測データの取得から記録完了までに要した記録処理時間ＴＲ、前回の記録周期において表示データの生成から波形描画完了までに要した表示処理時間ＴＤから成る下記演算式（３）に基づいて、前記表示更新周期ＴＲＤを決定する表示更新周期決定手段を備えることを特徴とする記録装置。
ＴＲＤ＝ＴＲＥＣ・｛ＴＤ／（ＴＲＥＣ−ＴＲ）｝      ・・・・（３）
【発明の詳細な説明】
【技術分野】
【０００１】
本発明は、電圧、温度等のアナログ信号を計測（デジタル変換）し、その計測データをハードディスク等の記録媒体にリアルタイムに保存する計測システム及び記録装置に関する。
【背景技術】
【０００２】
図６（ａ）は、従来の波形計測システムの構成概略図である。この図６（ａ）に示すように、従来の波形計測システムは、例えばデジタルオシロスコープ等の計測装置１０と、この計測装置１０と通信ケーブル３０を介して接続されたＰＣ(Personal Computer)等の情報処理装置２０とから構成されている。なお、通信ケーブル３０は、例えばＵＳＢ(Universal Serial Bus)ケーブルやEthernet（登録商標）ケーブル等である。
【０００３】
このような波形計測システムにおいて、計測装置１０は、外部入力される電圧や温度等のアナログ信号を所定のサンプルレートでサンプリングしてデジタル変換し、そのデジタルデータ（計測データ）を内部に設けられたアクイジションメモリにリアルタイムに格納する機能（アクイジション機能）及び計測データを波形描画するための表示データ（ＰＰ圧縮データ）を生成する機能を有している。一方、情報処理装置２０は、通信ケーブル３０を介して計測装置１０のアクイジションメモリから計測データ及び表示データを読み出し、計測データを内部に設けられたハードディスク等の記録媒体にリアルタイムに記録すると共に、表示データを基にモニタ画面上において波形描画を行う機能を有している。
【０００４】
図６（ｂ）は、情報処理装置２０の機能ブロック図である。この図６（ｂ）に示すように、情報処理装置２０は、通信部２１、記録データ管理部２２、記録部２３、表示データ管理部２４及び表示部２５から構成されている。通信部２１は、通信ケーブル３０を介して計測装置１０との設定データや計測データ、表示データの送受信を行うためのインタフェースとして機能する。記録データ管理部２２は、一定の記録周期毎に、計測装置１０内のアクイジションメモリに格納された計測データを通信部２１を介して取得し、バッファ用メモリに取り込む。
【０００５】
記録部２３は、記録データ管理部２２にてバッファ用メモリに取り込まれた計測データをハードディスク等の記録媒体に記録する。この時の記録データサイズは、サンプリングインターバルや計測チャネル数等の条件によって変化する。表示データ管理部２４は、計測装置１０にて生成された表示データを通信部２１を介して取得してバッファ用メモリに取り込む。表示部２５は、表示データ管理部２４にてバッファ用メモリに取り込まれた表示データを基にモニタ画面上において波形描画を行う。
【０００６】
図７は、従来の情報処理装置２０における計測データの記録及び表示波形の更新時の動作を表すフローチャートである。この図７に示すように、まず、記録データ管理部２２は、通信部２１を介して計測装置１０から計測データを取得し、バッファ用メモリに取り込む（ステップＳ１０）。そして、記録部２３は、バッファ用メモリに取り込まれた計測データをハードディスク等の記録媒体に記録する（ステップＳ１１）。
【０００７】
計測データの記録完了後、表示データ管理部２４は、予め設定されている表示更新周期が経過したか否かを判定し（ステップＳ１２）、表示更新周期が経過した場合（Ｙｅｓ）、通信部２１を介して計測装置１０から表示データを取得し、バッファ用メモリに取り込む（ステップＳ１３）。そして、表示部２５は、バッファ用メモリに取り込まれた表示データを基にモニタ画面上において波形描画を行う（ステップＳ１４）。一方、ステップＳ１２において、表示更新周期が経過していない場合（Ｎｏ）、ステップＳ１３、Ｓ１４の処理は実行されず、表示波形の更新は行われない。
以上のようなステップＳ１０〜Ｓ１４が記録周期毎に繰り返されることにより、計測データを受信する毎に表示波形の更新が逐次行われる。
【０００８】
図８に、計測データの記録及び表示波形の更新時のタイミングチャートを示す。図８において、記録処理時間には、計測装置１０から情報処理装置２０への計測データの転送時間とハードディスクへの記録時間が含まれる。また、表示処理時間には、表示データの転送時間とモニタ画面上での波形描画時間が含まれる。図８（ａ）は、一定の記録周期に対して記録処理と表示処理とが十分間に合っている場合を示しており、図８（ｂ）は、サンプルレートを高速に設定したり、或いは計測チャネル数を増やしたこと等により計測データ量が増大（記録処理時間が増大）し、記録周期よりも記録処理時間と表示処理時間との合計時間の方が長くなってしまった場合を示している。
【０００９】
図８（ｂ）からわかるように、計測データ量が増大し、記録周期よりも記録処理時間と表示処理時間との合計時間の方が長くなってしまった場合、記録周期が到来しても前回の記録周期にて実行された表示処理が終了するまで記録処理を開始することができず、その記録周期内で行われるべき記録処理が次回の記録周期にずれこんで実行されることになる。この場合、計測装置１０側のアクイジション処理に対して情報処理装置２０側の記録処理が間に合わない状態となり、アクイジションメモリのバッファオーバーラン（アクイジションメモリ内の読み出し未完了データが書き込みデータによって上書きされてしまう現象）が発生し、連続的な記録動作ができなくなる。なお、記録処理時間や表示処理時間の長さは、計測データ量だけでなく、計測装置１０と情報処理装置２０との間の通信回線状況（データ転送時間）にも依存する。
【００１０】
従来では、上記のようなバッファオーバーランの発生を考慮し、図９に示すような表示更新周期の設定画面を情報処理装置２０のモニタ画面上に表示し、計測条件に見合った表示更新周期の設定をユーザに促すような機能を設けている。つまり、計測データ量が増大しているような状態では、記録周期毎に表示処理が行われないように表示更新周期を長く設定することにより、バッファオーバーランの発生を防止していた。
【特許文献１】特開平５−３１２６０１号公報
【特許文献２】特開２００２−２６７５０８号公報
【発明の開示】
【発明が解決しようとする課題】
【００１１】
上記のように、従来では、バッファオーバーランの発生を防止するために、ユーザが表示更新周期を設定していた。しかしながら、その表示更新周期の設定値が現在のシステム状態（計測データ量や通信回線状況など）に適した値であるかどうかを、ユーザが正確に判断することは極めて困難であり、情報処理装置２０が有する記録処理及び表示処理のパフォーマンスを最大限に発揮することができていなかった。
なお、上記従来技術では、計測装置１０と情報処理装置２０とから構成される波形計測システムを例示して説明したが、両者の機能を有するオールインワンの記録装置においても同様の問題が発生する（この場合、データ転送は行われないため、記録処理時間や表示処理時間の長さはデータ転送時間に依存しない）。
【００１２】
本発明は、上述した事情に鑑みてなされたものであり、計測データの記録処理及び表示処理に関するパフォーマンスを最大限に発揮しつつ、バッファオーバーランの発生を防止することが可能な計測システム及び記録装置を提供することを目的とする。
【課題を解決するための手段】
【００１３】
上記課題を解決するために、本発明では、計測システムに係る第１の解決手段として、計測データをアクイジションメモリに格納する機能及び前記計測データを波形描画するための表示データを生成する機能を有する計測装置と、一定の記録周期毎に前記計測データを取得して記録する機能及び表示更新周期毎に前記表示データを取得して波形描画を行う機能を有する情報処理装置とを具備する計測システムであって、前記情報処理装置は、前記記録周期ＴＲＥＣ、今回の記録周期において計測データの取得から記録完了までに要した記録処理時間ＴＲ、前回の記録周期において表示データの取得から波形描画完了までに要した表示処理時間ＴＤから成る下記演算式（１）に基づいて、前記表示更新周期ＴＲＤを決定する表示更新周期決定手段を備えることを特徴とする。
ＴＲＤ＝ＴＲＥＣ・｛ＴＤ／（ＴＲＥＣ−ＴＲ）｝      ・・・・（１）
【００１４】
また、計測システムに係る第２の解決手段として、上記第１の解決手段において、前記情報処理装置は、前記記録周期毎に前記計測装置のアクイジションメモリから計測データを取得すると共に、当該計測データの転送時間を計測する記録データ管理手段と、前記記録データ管理手段にて取得された計測データを所定の記録媒体に記録すると共に、当該記録処理に要した記録時間を計測する記録手段と、前記表示更新周期毎に前記計測装置から表示データを取得すると共に、当該表示データの転送時間を計測する表示データ管理手段と、前記表示データ管理手段にて取得された表示データを基に表示画面上にて波形描画を行うと共に、当該波形描画処理に要した波形描画時間を計測する表示手段と、を備え、前記表示更新周期決定手段は、今回の記録周期において計測された前記計測データの転送時間及び前記記録時間の合計時間を、今回の記録周期における前記記録処理時間とし、前回の記録周期において計測された前記表示データの転送時間及び前記波形描画時間の合計時間を、前回の記録周期における前記表示処理時間とすることを特徴とする。
【００１６】
また、記録システムに係る第３の解決手段として、上記第１または第２の解決手段において、前記表示更新周期決定手段は、前記表示更新周期ＴＲＤ、前記表示処理時間ＴＤ、前記記録処理時間ＴＲから成る下記演算式（２）に基づいて、前記情報処理装置の記録処理及び表示処理に関する負荷量Ｌを算出し、前記表示手段は、前記表示更新周期決定手段にて算出された負荷量Ｌを表示することを特徴とする。
Ｌ＝｛（ＴＲ＋ＴＤ）／ＴＲＤ｝・１００  （％）      ・・・・（２）
【００１７】
さらに、本発明では、記録装置に係る解決手段として、計測データをアクイジションメモリに格納する機能と、一定の記録周期毎に前記アクイジションメモリから計測データを取得して所定の記録媒体に記録する機能と、表示更新周期毎に記録済みの計測データを波形描画するための表示データを生成して波形描画を行う機能とを有する記録装置であって、前記記録周期ＴＲＥＣ、今回の記録周期において計測データの取得から記録完了までに要した記録処理時間ＴＲ、前回の記録周期において表示データの生成から波形描画完了までに要した表示処理時間ＴＤから成る下記演算式（３）に基づいて、前記表示更新周期ＴＲＤを決定する表示更新周期決定手段を備えることを特徴とする。
ＴＲＤ＝ＴＲＥＣ・｛ＴＤ／（ＴＲＥＣ−ＴＲ）｝      ・・・・（３）
【発明の効果】
【００１８】
本発明では、記録周期ＴＲＥＣ、今回の記録周期において計測された記録処理時間ＴＲ、前回の記録周期において計測された表示処理時間ＴＤから成る上記演算式（１），（３）に基づいて、表示更新周期ＴＲＤを決定するため、記録データ量が増大するなどして記録処理時間と表示処理時間とが変化した場合は、それらの処理時間に応じて表示更新周期を動的に変更することができ、その結果、計測データの記録処理及び表示処理に関するパフォーマンスを最大限に発揮しつつ、バッファオーバーランの発生を防止することが可能となる。
【発明を実施するための最良の形態】
【００１９】
以下、図面を参照して、本発明に係る計測システム及び記録装置及びの一実施形態について説明する。
〔計測システム〕
図１（ａ）は、本実施形態に係る計測システムの構成概略図である。この図１（ａ）に示すように、本実施形態に係る計測システムは、例えばデジタルオシロスコープ等の計測装置１０と、この計測装置１０と通信ケーブル３０を介して接続されたＰＣ(Personal Computer)等の情報処理装置４０とから構成されている。なお、図１（ａ）において、計測装置１０及び通信ケーブル３０は、図６（ａ）に示す従来の計測システムと同様であるので詳細な説明は省略し、以下では従来の計測システムと異なる部分について説明する。
【００２０】
図１（ｂ）は、情報処理装置４０の機能ブロック図である。この図１（ｂ）に示すように、情報処理装置４０は、通信部４１、記録データ管理部（記録データ管理手段）４２、記録部（記録手段）４３、表示データ管理部（表示データ管理手段）４４、表示部（表示手段）４５及び表示更新周期決定部（表示更新周期決定手段）４６から構成されている。
【００２１】
通信部４１は、通信ケーブル３０を介して計測装置１０との設定データや計測データ、表示データの送受信を行うためのインタフェースとして機能する。記録データ管理部４２は、一定の記録周期毎に、計測装置１０内のアクイジションメモリに格納された計測データを通信部４１を介して取得すると共に、当該計測データの転送時間を計測し、その計測結果を表示更新周期決定部４６に出力する。記録部４３は、記録データ管理部４２にて取得された計測データをハードディスク等の記録媒体に記録すると共に、当該記録処理に要した記録時間を計測し、その計測結果を表示更新周期決定部４６に出力する。
【００２２】
表示データ管理部４４は、表示データの取得開始タイミングの周期を示す表示更新周期に従って計測装置１０から表示データを取得すると共に、当該表示データの転送時間を計測し、その計測結果を表示更新周期決定部４６に出力する。表示部４５は、表示データ管理部４４にて取得された表示データを基にモニタ画面上において波形描画を行うと共に、当該波形描画処理に要した波形描画時間を計測し、その計測結果を表示更新周期決定部４６に出力する。
【００２３】
表示更新周期決定部４６は、記録部４３による計測データの記録完了後に、今回の記録周期において計測された計測データの転送時間及び記録時間の合計時間である記録処理時間と、前回の記録周期において計測された表示データの転送時間及び波形描画時間の合計時間である表示処理時間とに基づいて、次回以降の記録周期における記録処理時間が記録周期内に収まるように表示更新周期を決定する。具体的には、この表示更新周期決定部４６は、記録周期ＴＲＥＣ、表示処理時間ＴＤ、記録処理時間ＴＲから成る下記演算式（１）に基づいて表示更新周期ＴＲＤを算出し、その算出結果を表示データ管理部４４に出力する。
ＴＲＤ＝ＴＲＥＣ・{ＴＤ／（ＴＲＥＣ−ＴＲ）}          ・・・・（１）
【００２４】
続いて、上記のように構成された情報処理装置４０における計測データの記録及び表示波形の更新時の動作について図２のフローチャートを参照して説明する。
図２に示すように、まず、記録データ管理部４２は、通信部４１を介して計測装置１０から計測データを取得すると共に、当該計測データの転送時間を計測し、その計測結果を表示更新周期決定部４６に出力する（ステップＳ２０）。そして、記録部４３は、記録データ管理部４２にて取得された計測データをハードディスク等の記録媒体に記録すると共に、当該記録処理に要した記録時間を計測し、その計測結果を表示更新周期決定部４６に出力する（ステップＳ２１）。
【００２５】
続いて、表示更新周期決定部４６は、記録部４３による計測データの記録完了後に、今回の記録周期において計測された計測データの転送時間及び記録時間の合計時間である記録処理時間と、前回の記録周期において計測された表示データの転送時間及び波形描画時間の合計時間である表示処理時間（この前回の記録周期における表示処理時間は内部メモリに格納されている）とを基に、上記演算式（１）から表示更新周期ＴＲＤを算出し、その算出結果を表示データ管理部４４に出力する（ステップＳ２２）。
【００２６】
表示データ管理部４４は、表示更新周期決定部４６にて算出された表示更新周期ＴＲＤが経過したか否かを判定し（ステップＳ２３）、表示更新周期ＴＲＤが経過した場合（Ｙｅｓ）、通信部４１を介して計測装置１０から表示データを取得すると共に、当該表示データの転送時間を計測し、その計測結果を表示更新周期決定部４６に出力する（ステップＳ２４）。この時、表示更新周期決定部４６は、表示データの転送時間を内部メモリに格納する。
【００２７】
そして、表示部４５は、表示データ管理部４４にて取得された表示データを基にモニタ画面上において波形描画を行うと共に、当該波形描画処理に要した波形描画時間を計測し、その計測結果を表示更新周期決定部４６に出力する（ステップＳ２５）。この時、表示更新周期決定部４６は、波形描画時間を内部メモリに格納する。
一方、ステップＳ２３において、表示更新周期ＴＲＤが経過していない場合（Ｎｏ）、ステップＳ２４、Ｓ２５の処理は実行されず、表示波形の更新は行われない。
以上のようなステップＳ２０〜Ｓ２５が記録周期毎に繰り返されることにより、計測データがリアルタイムに記録される。
【００２８】
図３に、計測データの記録及び表示波形の更新時のタイミングチャートを示す。図３では、１回目の記録周期ＴＲＥＣ（１）において、計測データ量が増大することにより、記録処理時間ＴＲ（１）が長くなり、表示処理時間ＴＤ（１）が２回目の記録周期ＴＲＥＣ（２）にずれ込んでしまった場合を例示している。このような場合、図３に示すように、従来技術では、３回目の記録周期ＴＲＥＣ（３）で実行される記録処理が、４回目の記録周期ＴＲＥＣ（４）にずれ込んでしまい、計測装置１０側でバッファオーバーランが発生してしまう。
【００２９】
一方、本実施形態では、２回目の記録周期ＴＲＥＣ（２）において、記録処理時間ＴＲ（２）を計測した後、この記録処理時間ＴＲ（２）と、前回の記録周期ＴＲＥＣ（１）において計測した表示処理時間ＴＤ（１）とを基に、次回以降の記録周期（つまり３回目の記録周期ＴＲＥＣ（３）以降）における記録処理時間が記録周期内に収まるように表示更新周期ＴＲＤを決定（算出）する。このように算出された表示更新周期ＴＲＤに従って表示データ管理部４４は表示データの取得を行うため、例えば図３に示すように、２回目の記録周期ＴＲＥＣ（２）では表示処理は行われず、３回目の記録周期ＴＲＥＣ（３）における記録処理完了後に２回目の表示処理（表示波形の更新）が行われる。このように、本実施形態では記録処理のずれ込みが発生せず、バッファオーバーランも発生しない。
【００３０】
４回目の記録周期ＴＲＥＣ（４）以降は、記録処理時間と表示処理時間とが変化しない限り表示更新周期ＴＲＤは変化せず、２回の記録処理に対して１回の表示処理の割合で計測データの記録及び波形表示の更新が行われることになる。さらに、記録処理時間と表示処理時間とが変化した場合は、それらの処理時間に応じて表示更新周期ＴＲＤは動的に変更されるため、システム状態（計測データ量や通信回線状況など）に拘わらず、計測データの記録処理及び表示処理に関するパフォーマンスを最大限に発揮しつつ、バッファオーバーランの発生を防止することが可能となる。
【００３１】
なお、上記実施形態では、記録処理時間及び表示処理時間に応じて表示更新周期を動的に変更するのみであったが、これら記録処理時間、表示処理時間及び表示更新周期に基づいて記録処理及び表示処理に関する負荷量を算出する機能を表示更新周期決定部４６に持たせ、この算出された負荷量を表示する機能を表示部４５に持たせても良い。具体的には、表示更新周期ＴＲＤ、表示処理時間ＴＤ、記録処理時間ＴＲから成る下記演算式（２）に基づいて、記録処理及び表示処理に関する負荷量Ｌを算出する。
Ｌ＝{（ＴＲ＋ＴＤ）／ＴＲＤ}・１００  （％）        ・・・・（２）
【００３２】
図４は、上記のように算出した負荷量Ｌをバーグラフ表示した例を示すものである。このように負荷量Ｌを表示することにより、ユーザは計測データの記録処理及び表示処理に関するパフォーマンスを定量的且つ直感的に把握することが可能となる。
【００３３】
〔記録装置〕
次に、上述した計測システムにおける計測装置１０及び情報処理装置４０の両方の機能を有するオールインワンの記録装置について説明する。図５は、本実施形態に係る記録装置１００の機能ブロック図である。この図５に示すように、本実施形態に係る記録装置１００は、計測部１０１、アクイジションメモリ１０２、記録データ管理部１０３、記録部１０４、表示データ管理部１０５、表示部１０６及び表示更新周期決定部１０７から構成されている。
【００３４】
計測部１０１は、外部から入力される電圧や温度等のアナログ信号を計測するものであり、この外部入力されるアナログ信号を予め設定されたサンプルレートでＡ／Ｄ変換し、量子化されたデジタルデータ（計測データ）と、当該計測データの書き込みアドレスとをアクイジションメモリ１０２に出力する。アクイジションメモリ１０２は、計測部１０１から入力される書き込みアドレスによって指定されたメモリ領域に計測データをリアルタイムに格納する一方、記録データ管理部１０３から入力される読み出しアドレスによって指定されたメモリ領域に格納されているデータを記録データ管理部１０３に出力する。
【００３５】
記録データ管理部１０３は、一定の記録周期毎に、読み出しアドレスを出力してアクイジションメモリ１０２から計測データを取得すると共に、当該計測データの取得時間を計測して、その計測結果を表示更新周期決定部１０７に出力する。記録部１０４は、記録データ管理部１０３にて取得された計測データをハードディスク等の記録媒体に記録すると共に、当該記録処理に要した記録時間を計測し、その計測結果を表示更新周期決定部１０７に出力する。
【００３６】
表示データ管理部１０５は、表示データの生成開始タイミングの周期を示す表示更新周期に従って、記録媒体に記録されている計測データを波形描画するための表示データを生成すると共に、当該表示データの生成時間を計測し、その計測結果を表示更新周期決定部１０７に出力する。表示部１０６は、表示データ管理部１０５にて生成された表示データを基にモニタ画面上において波形描画を行うと共に、当該波形描画処理に要した波形描画時間を計測し、その計測結果を表示更新周期決定部１０７に出力する。
【００３７】
表示更新周期決定部１０７は、記録部１０４による計測データの記録完了後に、今回の記録周期において計測された計測データの取得時間及び記録時間の合計時間である記録処理時間と、前回の記録周期において計測された表示データの生成時間及び波形描画時間の合計時間である表示処理時間とに基づいて、次回以降の記録周期における記録処理時間が記録周期内に収まるように表示更新周期を決定する。具体的には、この表示更新周期決定部１０７は、上記演算式（１）に基づいて表示更新周期ＴＲＤを算出し、その算出結果を表示データ管理部１０５に出力する。
【００３８】
以上のように、本実施形態に係る記録装置１００は、上述した計測システムと比較して、記録処理時間が計測データの取得時間及び記録時間の合計時間に替わり、また、表示処理時間が表示データの生成時間及び波形描画時間の合計時間に替わったのみであり、計測データの記録及び表示波形の更新時における動作は計測システムと同一の動作を採用することができる。従って、動作に関しては詳細な説明を省略するが、本実施形態に係る記録装置１００によれば、上述した計測システムと同様に、計測データの記録処理及び表示処理に関するパフォーマンスを最大限に発揮しつつ、バッファオーバーランの発生を防止することが可能となる。
【図面の簡単な説明】
【００３９】
【図１】本発明の一実施形態に係る計測システムの構成図である。
【図２】本発明の一実施形態に係る計測システムにおける情報処理装置４０の動作を表すフローチャートである。
【図３】本発明の一実施形態に係る計測システムにおける情報処理装置４０の動作を表すタイミングチャートである。
【図４】本発明の一実施形態に係る計測システムにおける情報処理装置４０の負荷量Ｌの表示例である。
【図５】本発明の一実施形態に係る記録装置１００の機能ブロック図である。
【図６】従来における計測システムの構成図である。
【図７】従来における計測システムの情報処理装置２０の動作を表すフローチャートである。
【図８】従来における計測システムの情報処理装置２０の動作を表すタイミングチャートである。
【図９】従来における計測システムの表示更新周期の設定画面である。
【符号の説明】
【００４０】
１０…計測装置、４０…情報処理装置、４１…通信部、４２…記録データ管理部、４３…記録部、４４…表示データ管理部、４５…表示部、４６…表示更新周期決定部、１００…記録装置、１０１…計測部、１０２…アクイジションメモリ、１０３…記録データ管理部、１０４…記録部、１０５…表示データ管理部、１０６…表示部、１０７…表示更新周期決定部
【図１】
0005433981.tif 000002
【図２】
0005433981.tif 000003
【図３】
0005433981.tif 000004
【図４】
0005433981.tif 000005
【図５】
0005433981.tif 000006
【図６】
0005433981.tif 000007
【図７】
0005433981.tif 000008
【図８】
0005433981.tif 000009
【図９】
0005433981.tif 000010